【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
デスミア処理槽においてデスミア処理に用いられた処理液を電解して再生するための電解再生処理装置であって、
アノードとして機能する内周面を有する筒状部と、前記筒状部内に配設され、前記内周面と離隔した状態で前記筒状部の延設方向に沿って延びるカソードとを含み、前記筒状部の前記内周面と前記カソードとの隙間を通じて前記処理液が送液される再生処理部と、
下流側端部が前記筒状部に接続され、前記デスミア処理槽から排出される前記処理液を前記再生処理部に導く送り側導管と、
上流側端部が前記筒状部に接続され、前記再生処理部から排出される前記処理液を前記デスミア処理槽に導く戻し側導管と、を備え、
前記筒状部は、アノードとして機能する内周面を有する第１配管と、アノードとして機能する内周面を有する第２配管とを含み、
前記カソードは、前記第１配管内に配設され、前記第１配管の内周面と離隔した状態で前記第１配管の延設方向に沿って延びる第１カソードと、前記第２配管内に配設され、前記第２配管の内周面と離隔した状態で前記第２配管の延設方向に沿って延びる第２カソードとを含み、
前記送り側導管の前記下流側端部は、第１配管の上流側端部と接続され、
前記第１配管の下流側端部は、前記第２配管の上流側端部と接続されており、
前記第２配管は、その延設方向が前記第１配管の延設方向と鋭角をなすように前記第１配管に対して傾斜した状態で配設されている、電解再生処理装置。
【請求項２】
前記第２配管は、前記第１配管よりも上方に配置されており、
前記第１配管は、その下流側端部が上流側端部よりも高くなるように水平方向に対して傾斜しており、
前記第２配管は、その下流側端部が上流側端部よりも高くなるように水平方向に対して傾斜している、請求項１に記載の電解再生処理装置。
【請求項３】
前記第１カソードが内部に配設された前記第１配管と、前記第２カソードが内部に配設された前記第２配管とを直列に接続した配管ブロックが、複数設けられており、
複数の前記配管ブロックが前記送り側導管及び前記戻し側導管に対して並列に接続されている、請求項１又は２に記載の電解再生処理装置。
【請求項４】
前記筒状部は、その延設方向の両端に開口部を有し、
前記再生処理部は、
各開口部の近傍に配設され、前記カソードが挿通された貫通孔を有する筒形状をなし、前記筒状部の前記内周面と前記カソードとの間に介在し、絶縁材料により形成されたシール部材をさらに含む、請求項１〜３のいずれか１項に記載の電解再生処理装置。
【請求項５】
前記筒状部は、その延設方向の一端に開口部を有し、前記延設方向の他端が閉じられており、
前記カソードは、
前記筒状部の前記一端に取り付けられる基部と、
前記開口部から前記筒状部内に挿入され、前記基部から前記筒状部の延設方向に沿って延びる延出部と、を含む、請求項１〜４のいずれか１項に記載の電解再生処理装置。
【請求項６】
前記再生処理部は、前記筒状部内に配置されるとともに前記筒状部と電気的に接続された補助アノードをさらに含み、
前記補助アノードは、前記カソードと離隔した状態で前記カソードに対向配置されている、請求項１〜５のいずれか１項に記載の電解再生処理装置。
【請求項７】
前記補助アノードは、前記カソードの周りを囲むように前記カソードに沿って延びる筒形状を有し、複数の貫通孔を有している、請求項６に記載の電解再生処理装置。
【請求項８】
前記カソードが前記筒状部の内周面に近づく方向に移動した場合に前記カソードと前記筒状部の内周面との接触を防止するために、前記筒状部の内周面と前記カソードとの隙間により構成される前記処理液の流路に設けられ、前記カソードに取り付けられ、前記カソードから前記筒部の内周面に向かう絶縁部材をさらに備えている、請求項１〜７のいずれか１項に記載の電解再生処理装置。
【請求項９】
前記筒状部の温度を調節するための温度調節部をさらに備えている、請求項１〜８のいずれか１項に記載の電解再生処理装置。
【請求項１０】
前記再生処理部において生じる気体を排出するための気体排出バルブをさらに備えている、請求項１〜９のいずれか１項に記載の電解再生処理装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
（４）前記電解再生処理装置において、前記筒状部は、アノードとして機能する内周面を有する第１配管と、アノードとして機能する内周面を有する第２配管とを含み、前記カソードは、前記第１配管内に配設され、前記第１配管の内周面と離隔した状態で前記第１配管の延設方向に沿って延びる第１カソードと、前記第２配管内に配設され、前記第２配管の内周面と離隔した状態で前記第２配管の延設方向に沿って延びる第２カソードとを含んでいるのが好ましく、この場合において、前記送り側導管の前記下流側端部は、第１配管の上流側端部と接続され、前記第１配管の下流側端部は、前記第２配管の上流側端部と接続されており、前記第２配管は、その延設方向が前記第１配管の延設方向と鋭角をなすように前記第１配管に対して傾斜した状態で配設されている。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】変更
【補正の内容】
【００２３】
（７）前記電解再生処理装置において、前記第１カソードが内部に配設された前記第１配管と、前記第２カソードが内部に配設された前記第２配管とを直列に接続した配管ブロックが、複数設けられており、複数の前記配管ブロックが前記送り側導管及び前記戻し側導管に対して並列に接続されているのが好ましい。
【手続補正１２】
【補正対象書類名】明細書
【補正対象項目名】００２４
【補正方法】変更
【補正の内容】
【００２４】
この構成では、第１配管と第２配管（上流側配管と下流側配管）とが直列に接続されることにより、単一の配管のみ（上流側配管のみ又は下流側配管のみ）の場合に比べて流路長が大きくなり電解再生処理能力が高められた配管ブロックを用いている。そして、必要とされる電解再生処理能力に応じた個数の前記配管ブロックを用いて再生処理部が構築される。その際には、送り側導管を流れる処理液が複数の配管ブロックのそれぞれの上流側端部、例えば、第１配管ブロックの上流側端部及び第２配管ブロックの上流側端部にそれぞれ導かれるように、第１配管ブロックと第２配管ブロックとは並列に接続される。したがって、電解再生処理前の処理液、すなわちマンガン酸塩の濃度が高い処理液を、第１配管ブロック及び第２配管ブロックにそれぞれ流入させることができる。よって、第１配管ブロックと第２配管ブロックとが直列に接続されて１つの流路を形成している構成に比べて、電解再生処理の効率を向上させることができる。
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】